(57)【要約】【課題】測定者が測定対象物の大きさを迅速かつ確実に測定することができること。【解決手段】画像を投影する投影装置において、前記投影装置と前記画像を投影される測定対象物との距離を検出する距離検出部と、前記距離検出部が検出した距離に基づいて、前記測定対象物に実寸大の目盛りの画像を投影する画像投影部と、を備えることを特徴とする投影装置。【選択図】図３
2010112875.tif 000002
【特許請求の範囲】
【請求項１】
画像を投影する投影装置において、
前記投影装置と前記画像を投影される測定対象物との距離を検出する距離検出部と、
前記距離検出部が検出した距離に基づいて、前記測定対象物に実寸大の目盛りの画像を投影する画像投影部と、
を備えることを特徴とする投影装置。
【請求項２】
前記距離検出部が検出した距離に基づいて、前記画像投影部が投影する目盛りを刻む間隔を決定する目盛刻み間隔決定部を備えることを特徴とする請求項１に記載の投影装置。
【請求項３】
前記距離検出部が検出した距離に基づいて、前記画像投影部が投影する目盛りの明るさを決定する明るさ決定部を備えることを特徴とする請求項１に記載の投影装置。
【請求項４】
回転角の入力を受け付ける回転角入力部と、
前記回転角入力部が受け付けた回転角の回転をさせた前記目盛りの画像を、前記画像投影部に投影させる画像回転部と、
を備えることを特徴とする請求項１に記載の投影装置。
【請求項５】
明るさを表わす情報を検出する明るさ検出部と、
前記明るさ検出部が検出した明るさを表わす情報に基づいて、前記画像投影部が投影する前記目盛りの明るさを決定する明るさ決定部と、
を備えることを特徴とする請求項１に記載の投影装置。
【請求項６】
前記測定対象物を撮像して画像情報を生成する撮像部と、
前記撮像部が生成した画像情報における前記測定対象物の色情報に基づいて、前記画像投影部が投影する目盛りの色情報を決定する色情報決定部と、
を備えることを特徴とする請求項１に記載の投影装置。
【請求項７】
測定範囲の入力を受け付ける測定範囲入力部と、
前記画像投影部は、前記測定範囲入力部が受け付けた測定範囲に、前記目盛りの画像を投影すること
を特徴とする請求項１に記載の投影装置。
【請求項８】
前記測定対象物を撮像して画像情報を生成する撮像部を備え、
前記測定範囲入力部は、前記撮像部が生成した画像情報における前記測定対象物の色情報に基づいた前記測定範囲の入力を受付けること
を特徴とする請求項７に記載の投影装置。
【請求項９】
前記目盛りの画像は、直線的な長さを測定する目盛りの画像であり、
前記測定範囲入力部は、２つの測定点の指定を受け付け、
前記画像投影部は、前記測定範囲入力部が受け付けた２つの測定点の間に、前記目盛りの画像を投影すること
を特徴とする請求項７に記載の投影装置。
【請求項１０】
前記測定範囲入力部が受け付けた２つの測定点の間の距離を検出する測定点間距離検出部を備え、
前記画像投影部は、前記測定点間距離検出部が検出した２つの測定点の間の距離を示す情報の画像を投影すること
を特徴とする請求項９に記載の投影装置。
【請求項１１】
前記測定範囲入力部は、２つの測定点の指定を受付け、
前記投影装置と前記測定範囲入力部が受け付けた測定点各々との距離を検出する測定点距離検出部と、
前記測定範囲入力部が受け付けた２つの測定点について、前記測定点距離検出部が検出した前記投影装置との距離が等しい場合に、その旨を報知する報知部と、
を備えることを特徴とする請求項７に記載の投影装置。
【請求項１２】
前記測定対象物と、前記画像投影部が投影した目盛りの画像と、を撮像する撮像部を備えることを特徴とする請求項１に記載の投影装置。
【請求項１３】
画像を投影する投影装置における投影装置制御方法おいて、
前記投影装置が、前記投影装置と前記画像を投影される測定対象物との距離を検出する第１の過程と、
前記投影装置が、前記第１の過程にて検出した距離に基づいて、前記測定対象物に実寸大の目盛りの画像を投影する第２の過程と、
を有することを特徴とする投影装置制御方法。
【請求項１４】
画像を投影する投影装置のコンピュータに、
前記投影装置と前記画像を投影される測定対象物との距離を検出する距離検出手段、
前記距離検出手段にて検出した距離に基づいて、前記測定対象物に実寸大の目盛りの画像を投影する画像投影手段、
として機能させることを特徴とする投影装置制御プログラム。
【発明の詳細な説明】
【技術分野】
【０００１】
本発明は、投影装置、投影装置制御方法、及び投影装置制御プログラムに関する。
【背景技術】
【０００２】
近年、情報技術を用いた測定技術の発展により、定規や分度器を用いた測定を電子的に行う技術が開発されている。
特許文献１には、画像を表示する表示部を有する画像処理装置であって、表示部に表示された画像上の指定位置について、当該画像に撮影された被写体（測定対象物）の３次元位置情報に基づいて、実質的に実際の寸法を表すスケール画像（目盛りの画像）を生成し、前記画像に合成する画像合成部を備え、表示部は、スケール画像が合成された画像を表示することを特徴とする画像処理装置が記載されている。
この技術は、画像処理装置が、表示する画像にスケール画像を合成して表示し、画像装置の利用者に表示した画像を参照させることにより、被写体の長さを測定させる技術である。
【０００３】
一方、近年、画像を投影する投影装置が普及してきている。このような普及に伴い、投影装置の小型化、投影する画像の高画質化等の開発が進められ、携帯電話装置等に高画質な画像を投影する小型の投影装置を搭載することが考えられてきている。
特許文献２には、投影装置に関する技術として、光を照射して表示対象に光点を表示する光点表示装置において、表示対象から離間して位置し光を発する光源と、この光源から表示対象への光の経路の途中に配されて光源から発した光を拡げる光学素子と、光学素子から表示対象への光の経路の途中に配されて、表示対象に表示される光点に対応した複数の透孔を有する遮光板と、光学素子と遮光板の少なくともいずれか一方を移動させて、光学素子と遮光板とを結ぶ光の経路の長さを可変にする可変手段と、を備えたことを特徴とする光点表示装置が記載されている。
この技術は、光点表示装置が、光源と表示対象までの離間寸法が変化しても、光学素子と透孔を備えた遮光板との離間寸法を変化させることにより、透孔から照射する光の方向を変化させて、前記表示対象に表示される２つの光点間の離間寸法を同一にする技術である。
【特許文献１】特開２００１２０９８２７号公報
【特許文献２】特開平１０−１２２８６３号公報
【発明の開示】
【発明が解決しようとする課題】
【０００４】
しかしながら、特許文献１の技術では、画像処理装置が撮像部と表示部を備え、画像処理装置の利用者が画像処理装置に表示された画像を参照しないと、被写体（測定対象物）の長さを測定することができない、という欠点があった。また、画像処理装置の携帯性を高めると、画像を表示する表示部が小さくなり、表示された画像の被写体やスケール画像（目盛りの画像）は実際のものより小さく表示されるので、正確な長さを迅速かつ確実に測定することができない、という欠点があった。
また、特許文献２の技術では、同一の離間寸法の光点を投影することはできるが、物の長さ等を測定することができない、という欠点があった。
このように、従来の技術では、測定者が測定対象物の大きさを迅速かつ確実に測定することができない、という欠点があった。
【０００５】
本発明は上記の点に鑑みてなされたものであり、その目的は、測定者が測定対象物の大きさを迅速かつ確実に測定することができる投影装置、投影装置制御方法、及び投影装置制御プログラムを提供することにある。
【課題を解決するための手段】
【０００６】
（１）本発明は上記の課題を解決するためになされたものであり、その一態様は、画像を投影する投影装置において、前記投影装置と前記画像を投影される測定対象物との距離を検出する距離検出部と、前記距離検出部が検出した距離に基づいて、前記測定対象物に実寸大の目盛りの画像を投影する画像投影部と、を備えることを特徴とする投影装置である。
上記構成によると、前記投影装置は、自装置と前記測定対象物との距離を検出し、前記測定対象物に実寸大の目盛りの画像を投影するので、測定者が前記測定対象物の大きさを迅速かつ確実に測定することができる。
【０００７】
（２）また、本発明の一態様は、前記距離検出部が検出した距離に基づいて、前記画像投影部が投影する目盛りを刻む間隔を決定する目盛刻み間隔決定部を備えることを特徴とする投影装置である。
上記構成によると、前記投影装置は、検出した自装置と前記測定対象物との距離に基づいて、投影する目盛りを刻む間隔を決定するので、例えば、小さな測定対象物の大きさを測定する場合、前記投影装置を利用する測定者が前記投影装置と前記測定対象物との距離を小さくすることにより、前記測定対象物を小さな単位（例えば、１ｍｍ：１ミリメートル）の目盛りを投影することができ、測定者は、迅速に前記測定対象物の測定をすることができる。
【０００８】
（３）また、本発明の一態様は、前記距離検出部が検出した距離に基づいて、前記画像投影部が投影する目盛りの明るさを決定する明るさ決定部を備えることを特徴とする投影装置である。
上記構成によると、前記投影装置は、検出した自装置と前記測定対象物との距離に基づいて、投影する目盛りの明るさを決定するので、例えば、前記距離が大きい前記測定対象物を測定する場合であっても、目盛りの明るさを大きくすることにより、鮮明な目盛りの画像を前記測定対象物に投影することができ、測定者は、確実に前記測定対象物の測定をすることができる。
【０００９】
（４）また、本発明の一態様は、回転角の入力を受け付ける回転角入力部と、前記回転角入力部が受け付けた回転角の回転をさせた前記目盛りの画像を、前記画像投影部に投影させる画像回転部と、を備えることを特徴とする投影装置である。
上記構成によると、前記投影装置は、回転角の入力を受け付け、受け付けた回転角の回転をさせた前記目盛りの画像を投影するので、測定者が測定したい方向に目盛りの画像を投影でき、測定者は、迅速に前記測定対象物の測定をすることができる。
【００１０】
（５）また、本発明の一態様は、明るさを表わす情報を検出する明るさ検出部と、前記明るさ検出部が検出した明るさを表わす情報に基づいて、前記画像投影部が投影する前記目盛りの明るさを決定する明るさ決定部と、を備えることを特徴とする投影装置である。
上記構成によると、前記投影装置は、検出した明るさを表わす情報に基づいて、投影する目盛りの明るさを決定するので、例えば、前記投影装置の周りが明るい場合であっても、目盛りの明るさを大きくすることにより、鮮明な目盛りの画像を前記測定対象物に投影することができ、測定者は、確実に前記測定対象物の測定をすることができる。
【００１１】
（６）また、本発明の一態様は、前記測定対象物を撮像して画像情報を生成する撮像部と、前記撮像部が生成した画像情報における前記測定対象物の色情報に基づいて、前記画像投影部が投影する目盛りの色情報を決定する色情報決定部と、を備えることを特徴とする投影装置である。
上記構成によると、前記投影装置は、撮像して生成した画像情報における測定対象物の色情報に基づいて、投影する目盛りの色情報を決定するので、例えば、目盛りの色情報を前記測定対象物の色情報と対照的な色情報とすることにより、鮮明な目盛りの画像を前記測定対象物に投影することができ、測定者は、確実に前記測定対象物の測定をすることができる。
【００１２】
（７）また、本発明の一態様は、測定範囲の入力を受け付ける測定範囲入力部と、前記画像投影部は、前記測定範囲入力部が受け付けた測定範囲に、前記目盛りの画像を投影することを特徴とする投影装置である。
上記構成によると、前記投影装置は、受け付けた測定範囲に、前記目盛りの画像を投影するので、測定者は、確実に測定をしたい測定範囲を測定することができる。
【００１３】
（８）また、本発明の一態様は、前記測定対象物を撮像して画像情報を生成する撮像部を備え、前記測定範囲入力部は、前記撮像部が生成した画像情報における測定対象物の色情報に基づいて、前記測定範囲の入力を受付けることを特徴とする投影装置である。
上記構成によると、前記投影装置は、撮像して生成した画像情報における測定対象物の色情報に基づいて、前記測定範囲の入力を受付けるので、測定者は、測定範囲の入力をすることなく、迅速に前記測定範囲の測定対象物を測定することができる。
【００１４】
（９）また、本発明の一態様は、前記目盛りの画像は、直線的な長さを測定する目盛りの画像であり、前記測定範囲入力部は、２つの測定点の指定を受け付け、前記画像投影部は、前記測定範囲入力部が受け付けた２つの測定点の間に、前記目盛りの画像を投影することを特徴とする投影装置である。
上記構成によると、前記投影装置は、受け付けた２つの測定点の間に、前記目盛りの画像を投影するので、測定者が測定をしたい２つの測定点の長さを確実に測定することができる。
【００１５】
（１０）また、本発明の一態様は、前記測定範囲入力部が受け付けた２つの測定点の間の距離を検出する測定点間距離検出部を備え、前記画像投影部は、前記測定点間距離検出部が検出した２つの測定点の間の距離を示す情報の画像を投影することを特徴とする投影装置である。
上記構成によると、前記投影装置は、検出した２つの測定点の間の距離を示す情報の画像を投影するので、測定者は、２つの測定点の間の距離を、迅速かつ確実に知ることができる。
【００１６】
（１１）また、本発明の一態様は、前記測定範囲入力部は、２つの測定点の指定を受付け、前記投影装置と前記測定範囲入力部が受け付けた測定点各々との距離を検出する測定点距離検出部と、前記測定範囲入力部が受け付けた２つの測定点について、前記測定点距離検出部が検出した前記投影装置との距離が等しい場合に、その旨を報知する報知部と、を備えることを特徴とする投影装置である。
上記構成によると、前記投影装置は、受け付けた２つの測定点について、検出した距離が等しくなった場合に、その旨を報知するので、２つの測定点を結ぶ直線に対して垂直に前記目盛りの画像が投影されることを報知することができ、測定者は、前記照射方向の奥行きによる歪みがない前記目盛りの画像が投影されていることを知ることができる。
【００１７】
（１２）また、本発明の一態様は、前記測定対象物と、前記画像投影部が投影した目盛りの画像と、を撮像する撮像部を備えることを特徴とする投影装置である。
【００１８】
（１３）また、本発明の一態様は、画像を投影する投影装置における投影装置制御方法おいて、前記投影装置が、前記投影装置と前記画像を投影される測定対象物との距離を検出する第１の過程と、前記投影装置が、前記第１の過程にて検出した距離に基づいて、前記測定対象物に実寸大の目盛りの画像を投影する第２の過程と、を有することを特徴とする投影装置制御方法である。
【００１９】
（１４）また、本発明の一態様は、画像を投影する投影装置のコンピュータに、前記投影装置と前記画像を投影される測定対象物との距離を検出する距離検出手段、前記距離検出手段にて検出した距離に基づいて、前記測定対象物に実寸大の目盛りの画像を投影する画像投影手段、として機能させることを特徴とする投影装置制御プログラムである。
【発明の効果】
【００２０】
本発明によれば、投影装置は、自装置と画像を投影される測定対象物との距離を検出し、測定対象物に実寸大の目盛りの画像を投影するので、測定者が測定対象物の大きさを迅速かつ確実に測定することができる。
【発明を実施するための最良の形態】
【００２１】
（第１の実施形態）
＜携帯電話装置１の機能概要について＞
以下、図面を参照しながら本発明の実施形態について詳しく説明する。図１は、この発明の第１の実施形態に係る携帯電話装置１（投影装置）の機能概要を示す概略図である。
この図は、携帯電話装置１が、自装置が備えるプロジェクタ機能により、範囲Ｐ１の範囲内に画像を投影できることを示す。また、この図は、携帯電話装置１が目盛りの画像Ｍ１を投影し、投影先である測定対象物Ａ１に目盛りの画像Ｍ１が投影されていることを示す。
このように、携帯電話装置１から投影された目盛りの画像Ｍ１により、測定対象物Ａ１の大きさを簡単に測定することができる。
【００２２】
＜携帯電話装置１の外観について＞
図２は、本実施形態に係る携帯電話装置１の外観を示す概略的外観図である。
本実施形態において、携帯電話装置１は、クラムシェルタイプの携帯電話装置であり、投影装置の機能を備える。図２（ａ）は、携帯電話装置１を開いた状態の内側の外観図であり、図２（ｂ）は、携帯電話装置１を開いた状態の外側の外観図である。
【００２３】
図２（ａ）は、携帯電話装置１が、十字キー等のキーからなるキー入力部２４１、及び、回転型セレクタであるジョグダイヤル２４２を備えることを示す。携帯電話装置１は、キー入力部２４１のキーの押下、及び、ジョグダイヤル２４２の回転により、情報の入力を受け付ける。
図２（ｂ）は、携帯電話装置１が、撮像部３５、投影する画像を照射するプロジェクタ光学部１２５、電波を送受信することにより測定対象物までの距離を検出する距離検出部１０を備えることを示す。なお、プロジェクタ光学部１２５と距離検出部１０とは隣接した位置に備えられ、本明細書中の計算等において同じ位置とみなせる位置に備えられたものである。また、距離検出部１０は、光の発光、受光により距離を検出してもよく、例えば、レーザー光を発光して反射光を受光することにより距離を検出してもよい。
【００２４】
＜携帯電話装置１の構成について＞
図３は、本実施形態に係る携帯電話装置１の構成を示す概略的ブロック図である。
携帯電話装置１は、距離検出部１０、目盛画像生成部１１、及び画像投影部１２を含んで構成される。また、この図は、距離検出部１０が携帯電話装置１と測定対象物Ａ１との距離を測定し、また、画像投影部１２が測定対象物Ａ１に画像を投影することを示している。
なお、図３においては、本実施形態の説明に関連する携帯電話装置１の構成（投影装置）の概略のみを示す。
【００２５】
距離検出部１０は、バースト状の電波（例えば、赤外線）を送受信し、電波の速度に、電波の発信時刻と測定対象物Ａ１からの反射波の受信時刻との差である時間を乗算することにより、測定対象物Ａ１までの距離を検出する。なお、距離検出部１０の距離の検出方法は、これに限らず、他の方法であってもよい。
距離検出部１０は、検出した測定対象物Ａ１までの距離の情報を、目盛画像生成部１１及び画像投影部１２に出力する。
【００２６】
目盛画像生成部１１は、距離検出部１０から入力された情報である測定対象物Ａ１までの距離に基づいて、目盛りの画像を生成し、生成した目盛りの画像を画像投影部１２に出力する。なお、目盛画像生成部１１の詳細については、後述する。
画像投影部１２は、目盛画像生成部１１から入力された目盛りの画像を測定対象物に投影する。すなわち、画像投影部１２は、距離検出部１０が検出した距離に基づいて、測定対象物Ａ１の大きさを測定する目盛りの画像を投影する。
【００２７】
＜目盛画像生成部１１について＞
目盛画像生成部１１は、目盛刻み間隔決定部１１０、尺度決定部１１１、画像長決定部１１２、明るさ決定部１１３、及び画像生成部１１４を含んで構成される。
【００２８】
目盛刻み間隔決定部１１０は、その記憶部（図示せず）に予め記憶する距離と目盛りを刻む間隔（以下、目盛刻み間隔という）との関係を読み出し、距離検出部１０から入力された情報である測定対象物Ａ１までの距離に対応する目盛刻み間隔を、画像投影部１２が投影する目盛りの画像の目盛刻み間隔として決定する。すなわち、目盛刻み間隔決定部１１０は、距離検出部１０が検出した距離に基づいて、画像投影部１２が投影する画像の目盛刻み間隔を決定する。
【００２９】
例えば、目盛刻み間隔決定部１１０は、距離０ｃｍ〜２０ｃｍ、２０ｃｍ〜３０ｃｍ、３０ｃｍ〜に、それぞれ、目盛刻み間隔０．１ｃｍ、０．５ｃｍ、１ｃｍを対応づけて記憶する。この場合、目盛刻み間隔決定部１１０は、測定対象物Ａ１までの距離が１０ｃｍ、３５ｃｍである場合、それぞれ、目盛刻み間隔を０．１ｃｍ、１ｃｍに決定する。
目盛刻み間隔決定部１１０は、決定した目盛刻み間隔の情報を画像生成部１１４に出力する。
【００３０】
尺度決定部１１１は、その記憶部（図示せず）に予め記憶する距離と目盛りの画像の縮尺との関係を読み出し、距離検出部１０から入力された情報である測定対象物Ａ１までの距離に対応する目盛りの画像の縮尺を、目盛画像生成部１１が生成する目盛りの画像の縮尺に決定する。
距離と目盛りの画像の縮尺との関係は、プロジェクタ光学部１２５のレンズの性質（拡散、又は集束）により予め定まる関係であり、レンズにより拡大、又は縮小されて投影された目盛りの画像が、測定対象物Ａ１の地点で正しい長さ（実寸大）を表わすように決められる関係である。
尺度決定部１１１は、決定した目盛りの画像の縮尺の情報を画像生成部１１４に出力する。
【００３１】
画像長決定部１１２は、その記憶部（図示せず）に予め記憶する距離と目盛りの画像の長さとの関係を読み出し、距離検出部１０から入力された情報である測定対象物Ａ１までの距離に対応する目盛りの画像の長さを、目盛画像生成部１１が生成する目盛りの画像の長さに決定する。
画像長決定部１１２は、決定した目盛りの画像の長さの情報を画像生成部１１４に出力する。
【００３２】
明るさ決定部１１３は、その記憶部（図示せず）に予め記憶する距離と、画像投影部１２が目盛りの画像を投影する照射光の強さを表わす情報と、の関係を読み出し、距離検出部１０から入力された情報である測定対象物Ａ１までの距離に対応する照射光の強さを表わす情報を決定する。
なお、投影された目盛りの画像の明るさを表わす情報である照度は、照射光の強さによって変化する。すなわち、明るさ決定部１１３は、距離検出部１０が検出した距離に基づいて、画像投影部１２が投影する画像の明るさを表わす情報を決定する。
ここで、距離と照射光の強さを表わす情報との関係は、距離が大きくなるほど照射光の強さが強くなる関係である。これにより、例えば、測定対象物Ａ１までの距離が変化しても、測定対象物Ａ１の地点での照度を、画像が認識できる一定の照度に保つことができる。
明るさ決定部１１３は、決定した照射光の強さを表わす情報を画像生成部１１４に出力する。
【００３３】
画像生成部１１４は、尺度決定部１１１から入力された情報の縮尺となる目盛りの画像情報を生成する。次に、画像生成部１１４は、生成した画像情報の画像について、目盛りの一部を削除し、目盛刻み間隔決定部１１０から入力された情報の目盛刻み間隔の目盛りの画像情報に変更する。次に、画像生成部１１４は、該変更した画像情報の画像について、目盛りの画像の両端を削除し、画像長決定部１１２から入力された情報の長さの目盛りの画像情報に変更する。
画像生成部１１４は、このようにして生成した目盛りの画像情報と、明るさ決定部１１３から入力された照射光の強さを表わす情報と、を画像投影部１２に出力する。
【００３４】
＜画像投影部１２について＞
以下、画像投影部１２の構成について詳細を説明する。
図４は、本実施形態に係る画像投影部１２の構成を示す概略的ブロック図である。
画像投影部１２は、光学系操作部１２１、映像信号処理部１２２、ランプ部１２３、ＬＣＤ（Ｌｉｑｕｉｄ  Ｃｒｙｓｔａｌ  Ｄｉｓｐｌａｙ）パネル（液晶パネル）部１２４、及びプロジェクタ光学部１２５からなる。
【００３５】
光学系操作部１２１は、距離検出部１０から入力された情報である測定対象物Ａ１までの距離より、測定対象物Ａ１の地点でプロジェクタ光学部１２５から投影される画像が鮮明に投影されるように、プロジェクタ光学部１２５のレンズのピントを制御する。
【００３６】
映像信号処理部１２２は、画像生成部１１４から入力された照射光の強さを表わす情報をランプ部１２３に出力する。また、映像信号処理部１２２は、画像生成部１１４から入力された目盛りの画像を、ＬＣＤパネルに表示する映像信号に変換し、ＬＣＤパネル部１２４に出力する。
【００３７】
ランプ部１２３は、ランプ等の発光体を含んで構成され、映像信号処理部１２２から入力された情報の強さの照射光を発光する。
ＬＣＤパネル部１２４は、液晶パネルを含んで構成され、映像信号処理部１２２から入力された映像信号の画像を、液晶パネルに表示する。
プロジェクタ光学部１２５は、光学レンズを含んで構成される。
【００３８】
このような画像投影部１２の構成により、ＬＣＤパネル部１２４の液晶パネルに表示された画像は、ランプ部１２３の発光体から発光された光により、プロジェクタ光学部１２５の光学レンズを介して、測定対象物Ａ１に投影される。
なお、本実施形態では、ランプ部１２３が映像信号処理部１２２から入力された情報の強さの照射光を発光して、画像投影部１２から投影する画像の明るさを調整しているが、本発明はこれに限られない。例えば、ランプ部１２３が、発光体から一定の強さの光を発光し、ＬＣＤパネル部１２４が、映像信号処理部１２２から入力された情報に基づき、ランプ部１２３からの光の透過量を制御して、画像投影部１２から投影する画像の明るさを調整してもよい。
また、本実施形態では、画像投影部１２が液晶プロジェクタである場合の例について説明したが、本発明はこれに限らず、画像投影部１２は、ＣＲＴ（Ｃａｔｈｏｄｅ  Ｒａｙ  Ｔｕｂｅ）プロジェクタ等、他の方式を用いたプロジェクタであってもよい。
【００３９】
＜携帯電話装置１の動作について＞
以下、携帯電話装置１の動作について説明をする。
図５は、本実施形態に係る携帯電話装置１の動作を示すフロー図である。
【００４０】
（ステップＳ１０１）携帯電話装置１は、測定対象物Ａ１までの距離を検出する。その後、ステップＳ１０２に進む。
（ステップＳ１０２）携帯電話装置１は、ステップＳ１０１にて検出した測定対象物Ａ１までの距離に応じて、目盛刻み間隔、尺度、及び長さを決定した目盛りの画像を生成する。その後、ステップＳ１０３に進む。
【００４１】
（ステップＳ１０３）携帯電話装置１は、ステップＳ１０３にて生成した目盛りの画像を、投影する。このとき、携帯電話装置１は、ステップＳ１０１にて検出した測定対象物Ａ１までの距離に応じた照射光の強さで、目盛りの画像を投影する。その後、ステップＳ１０４に進む。
（ステップＳ１０４）携帯電話装置１は、携帯電話装置１の操作者の操作により、投影を終了する命令が入力されたか否かを判定する。携帯電話装置１が投影を終了する命令が入力されたと判定した場合（Ｙｅｓ）、ステップＳ１０５に進む。一方、携帯電話装置１が投影を終了する命令が入力されないと判定した場合（Ｎｏ）、ステップＳ１０１に進む。
なお、ステップＳ１０４において、投影を終了する命令は、携帯電話装置１の操作者の操作により入力されるが、本発明はこれに限らず、例えば、携帯電話装置１が計時部を備え、予め定めた時間が経過した場合、投影を終了する命令が入力されたとみなしてもよい。
（ステップＳ１０５）携帯電話装置１は、目盛りの画像の投影を終了する。
【００４２】
このように、本実施形態によれば、携帯電話装置１は、自装置と測定対象物Ａ１との距離を検出し、測定対象物Ａ１に実寸大の目盛りの画像を投影する。これにより、測定者は、測定対象物Ａ１の大きさを迅速かつ確実に測定することができる。
【００４３】
また、本実施形態によれば、携帯電話装置１は、検出した自装置と測定対象物Ａ１との距離に基づいて、投影する目盛刻み間隔を決定する。これにより、携帯電話装置１は、例えば、小さな測定対象物の大きさを測定する場合、測定者が自装置と測定対象物Ａ１を小さくされることにより、測定対象物Ａ１を小さな単位（例えば、１ｍｍ：１ミリメートル）の目盛りを投影することができ、測定者は、迅速に前記測定対象物の測定をすることができる。
【００４４】
また、本実施形態によれば、携帯電話装置１は、検出した自装置と測定対象物Ａ１との距離に基づいて、投影する目盛りの明るさを決定する。これにより、携帯電話装置１は、例えば、自装置と測定対象物Ａ１との距離が大きい測定対象物Ａ１を測定する場合であっても、目盛りの明るさを大きくすることにより、鮮明な目盛りの画像を測定対象物Ａ１に投影することができ、測定者は、確実に前記測定対象物の測定をすることができる。
【００４５】
（第２の実施形態）
以下、図面を参照しながら本発明の第２の実施形態について詳しく説明する。本実施形態の携帯電話装置２は、第１の実施形態の携帯電話装置１の機能に加え、目盛りの画像を平行移動、又は、回転する機能を備える。また、携帯電話装置２は、明るさを検出し、検出した明るさによって、目盛りの画像の明るさを決定する機能を備える。
なお、本実施形態では、目盛りの画像を回転する機能について説明するが、目盛りの画像を平行移動する機能であってもよいし、携帯電話装置２は、回転と平行移動する機能の両方を備えていてもよい。また、携帯電話装置２の外観は、携帯電話装置１の外観（図２）と同じである。
【００４６】
＜携帯電話装置２の構成について＞
図６は、本発明の第２の実施形態に係る携帯電話装置２の構成を示す概略的ブロック図である。
本実施形態による携帯電話装置２（図６）と、第１の実施形態による携帯電話装置１（図３）とを比較すると、明るさ検出部２３、操作部２４、明るさ決定部２１３、画像生成部２１４、回転角入力部２１５、画像回転部２１６が異なる。しかし、他の構成要素（距離検出部１０、目盛刻み間隔決定部１１０、尺度決定部１１１、画像長決定部１１２、画像投影部１２）が持つ機能は第１の実施形態と同じであるので、第１の実施形態と同じ機能の説明は省略する。
なお、図６においては、本実施形態の説明に関連する構成の概略のみを示す。
【００４７】
明るさ検出部２３は、携帯電話装置２の周囲の明るさを検出する。明るさ検出部２３は、検出した明るさの情報を明るさ決定部２１３に出力する。
明るさ決定部２１３は、その記憶部（図示せず）に予め記憶する明るさの情報と、画像投影部１２が目盛りの画像を投影する照射光の強さを表わす情報と、の関係を読み出し、明るさ検出部２３から入力された明るさの情報に対応する照射光の強さを表わす情報を決定する。
【００４８】
ここで、明るさの情報と、画像投影部１２が目盛りの画像を投影する照射光の強さを表わす情報と、の関係は、周囲の明るさが明るいほど、照射光の強さが強くなる、という関係である。
明るさ決定部２１３は、決定した照射光の強さを表わす情報を画像生成部２１４に出力する。
【００４９】
操作部２４は、十字キー等のキーからなるキー入力部２４１、及び、回転型セレクタであるジョグダイヤル２４２を含んで構成される。操作部２４は、キー入力部２４１、又はジョグダイヤル２４２による携帯電話２の操作者の操作情報を回転角入力部２１５に出力する。
また、操作部２４は、キー入力部２４１、又はジョグダイヤル２４２による携帯電話２の操作者の操作情報を、目盛刻み間隔決定部１１０、尺度決定部１１１、画像長決定部１１２、又は明るさ決定部２１３に出力する。目盛刻み間隔決定部１１０、尺度決定部１１１、画像長決定部１１２、又は明るさ決定部２１３は、操作部２４から入力された操作情報により、目盛りの画像について、それぞれ、目盛刻み間隔、目盛りの画像の尺度、目盛りの画像の長さ、目盛りの画像の明るさを変更した情報を画像生成部２１４に出力する。また、携帯電話装置２は、目盛りの画像に目盛りの単位（１ミリメートル単位、５ミリメートル単位、１センチメートル単位等）毎に数字等を付して表示する場合、操作部２４が受け付けた操作情報により、数字等を付して表示する目盛りの単位を変更してもよい。また、携帯電話装置２は、操作部２４が受け付けた操作情報により、目盛りの画像の色を変更し、該変更した目盛りの画像を生成してもよい。
【００５０】
回転角入力部２１５は、操作部２４から入力された操作情報より、目盛りの画像の回転角の入力を受け付ける。例えば、回転角入力部２１５は、操作者の操作により回転されたジョグダイヤル２４２の回転角を、目盛りの画像の回転角として入力を受け付ける。回転角入力部２１５は、受け付けた回転角の情報を、画像回転部２１６に出力する。
【００５１】
画像回転部２１６は、画像生成部２１４が生成した画像を、回転角入力部２１５から入力された回転角の回転をさせる制御を、画像生成部２１４に対して行う。
【００５２】
画像生成部２１４は、尺度決定部１１１から入力された情報の縮尺となる目盛りの画像情報を生成する。次に、画像生成部２１４は、生成した画像情報の画像について、目盛りの一部を削除し、目盛刻み間隔決定部１１０から入力された情報の目盛刻み間隔の目盛りの画像情報に変更する。次に、画像生成部２１４は、該変更した画像情報の画像について、目盛りの画像の両端を削除し、画像長決定部１１２から入力された情報の長さの目盛りの画像情報に変更する。次に、画像生成部２１４は、該変更した画像情報の画像について、画像回転部２１６からの制御に従って回転させた目盛りの画像情報に変更する。
画像生成部２１４は、このようにして生成した目盛りの画像情報と、明るさ決定部２１３から入力された照射光の強さを表わす情報と、を画像投影部１２に出力する。
【００５３】
＜携帯電話装置２の動作について＞
以下、携帯電話装置２の動作について説明をする。
図７は、本実施形態に係る携帯電話装置２の動作を示すフロー図である。
【００５４】
（ステップＳ２０１）携帯電話装置２は、測定対象物Ａ１までの距離を検出する。その後、ステップＳ２０２に進む。
（ステップＳ２０２）携帯電話装置２は、携帯電話装置２の周囲の明るさを検出する。その後、ステップＳ２０３に進む。
（ステップＳ２０３）携帯電話装置２は、ステップＳ２０１にて検出した測定対象物Ａ１までの距離に応じて、目盛刻み間隔、尺度、及び長さを決定した目盛りの画像を生成する。その後、ステップＳ２０４に進む。
【００５５】
（ステップＳ２０４）携帯電話装置２は、ステップＳ２０３にて生成した目盛りの画像を、投影する。このとき、携帯電話装置２は、ステップＳ２０２で検出した明るさに応じた照射光の強さで、目盛りの画像を投影する。その後、ステップＳ２０５に進む。
【００５６】
（ステップＳ２０５）携帯電話装置２は、目盛りの画像の変更を受け付ける。例えば、携帯電話装置２は、目盛りの画像を回転することを選択する画像、目盛りの単位を変更することを選択する画像、目盛刻み間隔を変更することを選択する画像、目盛りの画像の長さを変更することを選択する画像、目盛りの画像の明るさ又は色を変更することを選択する画像を表示し、携帯電話装置２の操作者に表示した画像を選択できるようにする。その後、ステップＳ２０６に進む。
【００５７】
（ステップＳ２０６）携帯電話装置２は、携帯電話装置２の操作者の操作により、目盛りの画像を変更させる操作の入力があったか否かを判定する。携帯電話装置２が目盛りの画像を変更させる操作の入力があったと判定した場合（Ｙｅｓ）、ステップＳ２０７に進む。一方、携帯電話装置２が目盛りの画像を変更させる操作の入力がなかったと判定した場合（Ｎｏ）、ステップＳ２０９に進む。
【００５８】
（ステップＳ２０６）携帯電話装置２は、ステップＳ２０４にて投影した目盛りの画像を、ステップＳ２０５にて変更を受け付けた画像に変更する。なお、この目盛りの画像の変更処理（以下、目盛り画像変更処理という）の動作についての詳細は後述する。その後、ステップＳ２０８に進む。
（ステップＳ２０８）携帯電話装置２は、ステップＳ２０７にて変更した目盛りの画像を投影する。その後、ステップＳ２０９に進む。
【００５９】
（ステップＳ２０９）携帯電話装置２は、携帯電話装置２の操作者の操作により、投影を終了する命令が入力されたか否かを判定する。携帯電話装置２が投影を終了する命令が入力されたと判定した場合（Ｙｅｓ）、ステップＳ２１０に進む。一方、携帯電話装置２が投影を終了する命令が入力されないと判定した場合（Ｎｏ）、ステップＳ２０５に進む。
（ステップＳ２１０）携帯電話装置２は、目盛りの画像の投影を終了する。
【００６０】
＜目盛りの画像の変更処理の動作について＞
以下、図７におけるステップＳ２０６の目盛り画像変更処理の動作について説明をする。
図８は、本実施形態に係る目盛りの画像の変更処理の動作を示すフロー図である。
【００６１】
（ステップＳ２１１）携帯電話装置２は、携帯電話装置２の操作者の操作により、目盛りの画像の変更内容を受け付ける。
【００６２】
（ステップＳ２１２）携帯電話装置２は、ステップＳ２１１にて、目盛りの画像を回転させる操作を受け付けたか否かを判定する。携帯電話装置２が目盛りの画像を回転させる操作を受け付けたと判定した場合（Ｙｅｓ）、ステップＳ２１３に進む。一方、携帯電話装置２が目盛りの画像を回転させる操作を受け付けなかったと判定した場合（Ｎｏ）、ステップＳ２１４に進む。
（ステップＳ２１３）携帯電話装置２は、ステップＳ２１２で受け付けた回転の回転角を回転させた目盛りの画像を生成する。
【００６３】
（ステップＳ２１４）携帯電話装置２は、目盛りの画像に目盛りの単位毎に数字等を付して表示する場合、ステップＳ２１１にて、目盛りの単位を変更する変更指示の操作を受け付けたか否かを判定する。携帯電話装置２が目盛りの単位を変更する変更指示の操作を受け付けたと判定した場合（Ｙｅｓ）、ステップＳ２１５に進む。一方、携帯電話装置２が目盛りの単位を変更する変更指示の操作を受け付けなかったと判定した場合（Ｎｏ）、ステップＳ２１６に進む。
（ステップＳ２１５）携帯電話装置２は、ステップＳ２１４で受け付けた目盛りの単位毎に数字等を付して表示するように変更した目盛りの画像を生成する。
【００６４】
（ステップＳ２１６）携帯電話装置２は、ステップＳ２１１にて、目盛刻み間隔を変更する変更指示の操作を受け付けたか否かを判定する。携帯電話装置２が目盛刻み間隔を変更する変更指示の操作を受け付けたと判定した場合（Ｙｅｓ）、ステップＳ２１７に進む。一方、携帯電話装置２が目盛刻み間隔を変更する変更指示の操作を受け付けなかったと判定した場合（Ｎｏ）、ステップＳ２１８に進む。
（ステップＳ２１７）携帯電話装置２は、ステップＳ２１６で受け付けた目盛刻み間隔に変更した目盛りの画像を生成する。
【００６５】
（ステップＳ２１８）携帯電話装置２は、ステップＳ２１１にて、目盛りの画像の長さを変更する変更指示の操作を受け付けたか否かを判定する。携帯電話装置２が目盛りの画像の長さを変更する変更指示の操作を受け付けたと判定した場合（Ｙｅｓ）、ステップＳ２１９に進む。一方、携帯電話装置２が目盛りの画像の長さを変更する変更指示の操作を受け付けなかったと判定した場合（Ｎｏ）、ステップＳ２２０に進む。
（ステップＳ２１９）携帯電話装置２は、ステップＳ２１８で受け付けた長さに変更した目盛りの画像を生成する。
【００６６】
（ステップＳ２２０）携帯電話装置２は、ステップＳ２１１にて、目盛りの画像の明るさ又は色を変更する変更指示の操作を受け付けたか否かを判定する。携帯電話装置２が目盛りの画像の明るさ又は色を変更する変更指示の操作を受け付けたと判定した場合（Ｙｅｓ）、この処理を終了する。一方、携帯電話装置２が目盛りの画像の明るさ又は色を変更する変更指示の操作を受け付けなかったと判定した場合（Ｎｏ）、ステップＳ２２１に進む。
（ステップＳ２２１）携帯電話装置２は、ステップＳ２２０で受け付けた明るさ又は色に変更した目盛りの画像を生成する。
【００６７】
なお、本実施形態において、携帯電話装置２は、一の目盛りの画像の生成処理、投影処理、及び変更処理について説明したが、本発明はこれに限らず、２以上の目盛りの画像について、目盛りの画像の生成処理、投影処理を行い、それぞれを、目盛りの画像の変更処理により、回転等させてもよい。この場合、例えば、携帯電話装置２は、２つの目盛りの画像が交差する角度を表示してもよい。
また、携帯電話装置２は、目盛りの画像に目盛りの単位毎に数字等を付して表示する場合、携帯電話装置２の操作者の操作により、付して表示する数字等の基準点（例えば、数字の場合は、ゼロ点）の位置を変更するようにしてもよい。
【００６８】
このように、本実施形態によれば、携帯電話装置２は、回転角の入力を受け付け、受け付けた回転角の回転をさせた目盛りの画像を投影する。これにより、携帯電話装置２は、測定者が測定したい方向に目盛りの画像を投影でき、測定者は、迅速に測定対象物Ａ１の測定をすることができる。
また、本実施形態によれば、携帯電話装置２は、検出した明るさを表わす情報に基づいて、投影する目盛りの明るさを決定する。これにより、例えば、携帯電話装置２は、携帯電話装置２の周りが明るい場合であっても、目盛りの明るさを大きくすることにより、鮮明な目盛りの画像を前記測定対象物に投影することができ、測定者は、確実に前記測定対象物の測定をすることができる。
【００６９】
（第３の実施形態）
以下、図面を参照しながら本発明の第３の実施形態について詳しく説明する。本実施形態の携帯電話装置３は、撮像機能を備え、撮像した画像の画像情報から、目盛りの画像を投影する測定範囲や、目盛りの画像の色情報を決定する。
なお、携帯電話装置３の外観は、携帯電話装置１の外観（図２）と同じである。
【００７０】
＜携帯電話装置３の機能概要について＞
以下、図面を参照しながら本発明の実施形態について詳しく説明する。図９は、この発明の第３の実施形態に係る携帯電話装置３の機能概要を示す概略図である。
この図は、携帯電話装置３が、自装置が備えるプロジェクタ機能により、第１の実施形態と同じ範囲Ｐ１（図１）の範囲内に画像を投影できることを示す。また、この図は、携帯電話装置３が目盛りの画像Ｍ２を投影し、投影先である測定対象物Ａ２目盛りの画像Ｍ２が投影されていることを示す。
【００７１】
さらに、この図は、測定対象物Ａ２は、範囲Ｐ１の直径の半分程度の長さであることを示し、携帯電話装置３が投影する画像Ｍ２の長さが、図１の画像Ｍ１の長さの半分の長さであり、目盛り刻み間隔も半分になっていることを示す。
つまり、この図は、携帯電話装置３が、測定対象物Ａ２の大きさを検出し、検出した大きさに応じた目盛りの画像を投影することを示す。
【００７２】
＜携帯電話装置３の構成について＞
図１０は、本実施形態に係る携帯電話装置３の構成を示す概略的ブロック図である。
本実施形態による携帯電話装置３（図１０）と、第１の実施形態による携帯電話装置１（図３）とを比較すると、撮像部３５、画像認識部３６、目盛刻み間隔決定部３１０、画像長決定部３１２、画像生成部３１４、測定範囲入力部３１７、色情報決定部３１８が異なる。しかし、他の構成要素（距離検出部１０、画像投影部１２、尺度決定部１１１）が持つ機能は第１の実施形態と同じであるので、第１の実施形態と同じ機能の説明は省略する。
なお、図１０においては、本実施形態の説明に関連する構成の概略のみを示す。
【００７３】
撮像部３５は、測定対象物Ａ２を撮像して画像情報を生成する。撮像部３５は、生成した画像情報を、画像認識部３６に出力する。
画像認識部３６は、撮像部３５から入力された画像情報の画像について画像認識処理し、測定対象物Ａ２の長さの情報や測定対象物Ａ２の色情報（例えば、色相、輝度、彩度）等を検出する。例えば、画像認識部３６は、画像の色情報の差異より測定対象物Ａ２の境界を抽出して境界を長方形で近似し、長方形の一辺の長さを、測定対象物Ａ２の長さとして検出する。なお、画像認識部３６は、測定対象物Ａ２の周囲の色情報より、測定対象物Ａ２の長さを検出してもよい。
画像認識部３６は、検出した測定対象物Ａ２の長さの情報を、測定範囲入力部３１７に出力する。また、画像認識部３６は、抽出した測定対象物Ａ２の色情報を、色情報決定部３１８に出力する。
【００７４】
測定範囲入力部３１７は、距離検出部１０から入力された情報である測定対象物Ａ１までの距離を、目盛刻み間隔決定部３１０、尺度決定部１１１、画像長決定部３１２に出力する。また、測定範囲入力部３１７は、画像認識部３６から入力された測定対象物Ａ２の長さの情報を、画像長決定部３１２に出力する。
【００７５】
目盛刻み間隔決定部３１０は、まず、その記憶部（図示せず）に予め記憶する距離と目盛刻み間隔との関係を読み出し、距離検出部１０から入力された情報である測定対象物Ａ１までの距離に対応する目盛刻み間隔を選択する。この選択した目盛刻み間隔は、測定対象物の長さが図１の範囲Ｐ１の直径と同程度の長さの場合の間隔である。
例えば、目盛刻み間隔決定部３１０が選択した目盛刻み間隔は、図１の画像Ｍ１に示す間隔である。
【００７６】
次に、目盛刻み間隔決定部３１０は、距離検出部１０から入力された情報である測定対象物Ａ２の長さから、範囲Ｐ１の直径を除算する。目盛刻み間隔決定部３１０は、選択した目盛刻み間隔に、除算した結果を乗算した目盛刻み間隔を、画像投影部１２が投影する目盛りの画像の目盛刻み間隔として決定する。
例えば、測定対象物Ａ２が範囲Ｐ１の直径の半分の長さであり、選択した画像が図１の画像Ｍ１である場合、図９の画像Ｍ２のように、目盛刻み間隔が画像Ｍ１の半分の間隔になる。
目盛刻み間隔決定部３１０は、決定した目盛刻み間隔の情報を画像生成部３１４に出力する。
【００７７】
画像長決定部３１２は、まず、その記憶部（図示せず）に予め記憶する距離と目盛りの画像の長さとの関係を読み出し、距離検出部１０から入力された情報である測定対象物Ａ１までの距離に対応する目盛りの画像の長さを選択する。この目盛りの画像の長さは、測定対象物の長さが範囲Ｐ１の直径と同じの長さの場合の目盛りの画像の長さである。
次に、画像長決定部３１２は、距離検出部１０から入力された情報である測定対象物Ａ２の長さから、範囲Ｐ１の直径を除算する。目盛刻み間隔決定部３１０は、選択した目盛りの画像の長さに、除算した結果を乗算した目盛りの画像の長さを、目盛画像生成部１１が生成する目盛りの画像の長さに決定する
画像長決定部３１２は、決定した目盛りの画像の長さの情報を画像生成部３１４に出力する。
【００７８】
色情報決定部３１８は、画像認識部３６から入力された測定対象物Ａ２の色情報より、その色情報と対照的な色情報を、画像投影部１２が投影する画像の色情報に決定する。
例えば、色情報決定部３１８は、測定対象物Ａ２の色相に対し、その色相と補色関係にある色相を、画像投影部１２が投影する画像の色相に決定する。なお、色情報決定部３１８は、測定対象物Ａ２の輝度により、照射光の強さを表わす情報を決定してもよい。
色情報決定部３１８は、決定した色情報を、画像生成部３１４に出力する。
【００７９】
画像生成部３１４は、尺度決定部１１１から入力された情報の縮尺となる目盛りの画像情報を生成する。次に、画像生成部３１４は、生成した画像情報の画像について、目盛りの一部を削除し、目盛刻み間隔決定部３１０から入力された情報の目盛刻み間隔の目盛りの画像情報に変更する。次に、画像生成部３１４は、該変更した画像情報の画像について、目盛りの画像の両端を削除し、画像長決定部３１２から入力された情報の長さの目盛りの画像情報に変更する。さらに、画像生成部３１４は、該変更した画像情報の画像について、目盛りの画像の色情報を変更し、色情報決定部３１８から入力された色情報の目盛りの画画像情報に変更する。
画像生成部３１４は、このようにして生成した目盛りの画像情報を画像投影部１２に出力する。
【００８０】
＜携帯電話装置３の動作について＞
以下、携帯電話装置３の動作について説明をする。
図１１は、本実施形態に係る携帯電話装置３の動作を示すフロー図である。
【００８１】
（ステップＳ３０１）携帯電話装置３は、撮像を開始し、撮像した画像を生成する。その後、ステップＳ３０２に進む。
（ステップＳ３０２）携帯電話装置３は、ステップＳ３０１にて生成した画像より、測定対象物Ａ２の色情報、大きさ、又は、その周囲の色情報を検出する。その後、ステップＳ３０３に進む。
（ステップＳ３０３）携帯電話装置３は、測定対象物Ａ２までの距離を検出する。その後、ステップＳ３０４に進む。
【００８２】
（ステップＳ３０４）携帯電話装置３は、ステップＳ３０２で抽出した測定対象物Ａ２の大きさ、測定対象物Ａ２又はその周囲の色情報、及びステップＳ３０３にて抽出した距離に応じて、目盛刻み間隔、尺度、長さ、色情報を決定した目盛りの画像を生成する。その後、ステップＳ３０５に進む。
（ステップＳ３０５）携帯電話装置３は、ステップＳ３０５にて生成した目盛りの画像を、投影する。その後、ステップＳ３０６に進む。
【００８３】
（ステップＳ３０６）携帯電話装置３は、携帯電話装置３の操作者の操作により、投影を終了する命令が入力されたか否かを判定する。携帯電話装置３が投影を終了する命令が入力されたと判定した場合（Ｙｅｓ）、ステップＳ３０７に進む。一方、携帯電話装置３が投影を終了する命令が入力されないと判定した場合（Ｎｏ）、ステップＳ３０１に進む。
（ステップＳ３０７）携帯電話装置３は、撮像を終了する。その後、ステップＳ３０８に進む。
（ステップＳ３０８）携帯電話装置３は、目盛りの画像の投影を終了する。
【００８４】
このように、本実施形態によれば、携帯電話装置３は、撮像して生成した画像情報における測定対象物の色情報に基づいて、投影する目盛りの色情報を決定するので、例えば、目盛りの色情報を測定対象物Ａ３の色情報と対照的な色情報とすることにより、鮮明な目盛りの画像を測定対象物Ａ３に投影することができ、測定者は、確実に測定対象物Ａ３の測定をすることができる。
また、本実施形態によれば、携帯電話装置３は、撮像して生成した画像情報における測定対象物の色情報に基づいて、測定範囲の入力を受付けるので、測定者は、測定範囲の入力をすることなく、迅速に測定範囲である測定対象物Ａ３を測定することができる。
【００８５】
（第４の実施形態）
以下、図面を参照しながら本発明の第４の実施形態について詳しく説明する。本実施形態の携帯電話装置４は、レーザー光を照射するレーザーポインタ機能と、照射したレーザー光を用いて指定された２点の測定点間に、目盛りの画像を照射する機能とを備える。
なお、携帯電話装置４の外観は、携帯電話装置１の外観（図２）と同じであるが、距離検出部１０は、レーザー光を発光するポインタ照射部４０１、及び反射光を受光することにより距離を検出する測定点距離検出部４０２に相当する。
【００８６】
＜携帯電話装置４の機能概要について＞
図１２は、この発明の第４の実施形態に係る携帯電話装置４の機能概要を示す概略図である。
この図は、携帯電話装置４が、自装置が備えるプロジェクタ機能により、範囲Ｐ３の範囲内に画像を投影できることを示す。また、この図は、携帯電話装置４が目盛りの画像Ｍ３を投影し、投影先である測定対象物Ａ３に目盛りの画像Ｍ３が投影されていることを示す。
【００８７】
さらに、この図は、携帯電話装置４が、レーザー光Ｌ１、Ｌ２が照射され、それぞれ、測定対象物Ａ３に、レーザー輝点である測定点ＳＰと測定点ＥＰが現れていることを示す。このとき、測定点ＳＰと測定点ＥＰの間に、目盛りの画像Ｍ３が投影されていることを示す。なお、この図において、測定点ＳＰと測定点ＥＰの中点は、四角印で示された中点ＭＰである。
【００８８】
＜携帯電話装置４の構成について＞
図１３は、本実施形態に係る携帯電話装置４の構成を示す概略的ブロック図である。
本実施形態による携帯電話装置４（図１３）と、第２の実施形態による携帯電話装置２（図６）とを比較すると、ポインタ照射部４０１、測定点距離検出部４０２、測定範囲入力部４１７、画像投影部４２、及び報知部４７が異なる。しかし、他の構成要素（操作部２４、目盛刻み間隔決定部１１０、尺度決定部１１１、画像長決定部１１２、画像生成部２１４、回転角入力部２１５、及び画像回転部２１６）が持つ機能は第２の実施形態と同じであるので、第２の実施形態と同じ機能の説明は省略する。
なお、図１３においては、本実施形態の説明に関連する構成の概略のみを示す。
【００８９】
ポインタ照射部４０１は、図１２のレーザー光Ｌ１、Ｌ２を照射する。ポインタ照射部４０１は、レーザー光の照射時刻とレーザー光の照射角とを測定点距離検出部４０２に出力する。ポインタ照射部４０１は、操作部２４からの入力された情報に従い、レーザー光Ｌ１、Ｌ２の照射開始・終了、照射方向等を制御する。
【００９０】
測定点距離検出部４０２は、ポインタ照射部４０１が照射したレーザー光の反射光を受光し、ポインタ照射部４０１から入力されたレーザー光の照射時刻と測定対象物Ａ３からの反射光の受信時刻との差である時間、及び、光の速度により、測定対象物Ａ３までの距離を検出する。なお、測定点距離検出部４０２の距離の検出方法は、これに限らず、他の方法であってもよい。
測定点距離検出部４０２は、ポインタ照射部４０１から入力されたレーザー光の照射角、及び、検出した測定点ＳＰ及び測定点ＥＰまでの距離の情報を、測定範囲入力部４１７に出力する。また、測定点距離検出部４０２は、検出した測定点ＳＰ及び測定点ＥＰまでの距離の情報を、報知部４７に出力する。
【００９１】
測定範囲入力部４１７は、測定点距離検出部４０２から入力された情報から、測定点ＳＰと測定点ＥＰの中点ＭＰまでの距離を算出し、算出した距離を、目盛刻み間隔決定部１１０、尺度決定部１１１、及び画像照射部４２に出力する。
また、測定範囲入力部４１７は、中点ＭＰの方向を算出する。測定範囲入力部４１７は、中点ＭＰの方向に垂直な面において、測定点ＳＰとＥＰを結ぶ直線の回転角を算出する。測定範囲入力部４１７は、算出した回転角を回転角入力部２１５に出力する。
また、測定範囲入力部４１７は、中点ＭＰの方向の情報を画像照射部４２に出力する。
【００９２】
画像照射部４２は、測定範囲入力部４１７から入力された情報の中点ＭＰの方向に、目盛画像生成部４１から入力された目盛りの画像を測定対象物に投影する。ここで、目盛画像生成部４１から入力された目盛りの画像は、中点ＭＰの方向に垂直な面において、測定点ＳＰとＥＰを結ぶ直線の回転角の回転をさせた目盛りの画像である。これにより、画像照射部４２は、測定点ＳＰとＥＰを結ぶ直線上に、目盛りの画像Ｍ３を投影することができる。
また、画像投影部４２は、測定範囲入力部４１７から入力された中点ＭＰまでの距離より、レンズのピントを制御する。
【００９３】
報知部４７は、測定点距離検出部４０２から入力された情報の測定点ＳＰまでの距離と、測定点ＥＰまでの距離とが等しい場合に、その旨を報知する。なお、測定点ＳＰまでの距離と、測定点ＥＰまでの距離とが等しい場合、画像照射部４２による目盛りの画像Ｍ３の照射方向が、中点ＭＰの方向となり、測定点ＳＰとＥＰを結ぶ直線に対して垂直に、目盛りの画像Ｍ３が投影される。
【００９４】
なお、目盛画像生成部４１は、測定点ＳＰ及び測定点ＥＰの照射方向（中点ＭＰの方向）の成分を算出し、測定点ＳＰとＥＰを結ぶ直線上に実寸大の目盛りの画像Ｍ３が投影されるように、目盛りの画像Ｍ３を生成してもよい。また、目盛画像生成部４１は、測定点ＳＰを目盛りの０点とし、測定点ＳＰ及び測定点ＥＰの間のみに、目盛りの画像Ｍ３が投影されるように目盛りの画像Ｍ３を生成してもよい。
【００９５】
また、携帯電話装置４は、測定点ＳＰと測定点ＥＰの距離を検出し、検出した測定点ＳＰと測定点ＥＰの距離を示す実数を投影してもよい。
この場合、例えば、測定範囲入力部４１７（測定点間距離検出部）は、測定点距離検出部４０２から入力された情報から、測定点ＳＰと測定点ＥＰの距離を検出し、検出した測定点ＳＰと測定点ＥＰの距離を示す情報を画像照射部４２に出力する。画像照射部４２は、測定範囲入力部４１７から入力された測定点ＳＰと測定点ＥＰの距離を示す情報（例えば、６ｃｍ）の画像を投影する。
なお、測定点ＳＰと測定点ＥＰの距離を示す情報は、例えば、距離を示す実数を、小数点以下を四捨五入、切り捨て、又は切り上げした数字であってもよいし、また、漢字であってもよい。また、測定点ＳＰと測定点ＥＰの距離を示す情報の単位は、例えば、ミリメートル、寸、尺、インチ、フィート等の単位であってもよい。また、測定範囲入力部４１７は、測定点ＳＰと測定点ＥＰの距離を示す情報の単位を、算出した中点ＭＰまでの距離に応じて決定してもよい。
【００９６】
＜携帯電話装置４の動作について＞
以下、携帯電話装置４の動作について説明をする。
図１４は、本実施形態に係る携帯電話装置４の動作を示すフロー図である。
【００９７】
（ステップＳ４０１）携帯電話装置４は、操作部２４からの入力された情報に従い、レーザー光Ｌ１、Ｌ２の照射方向を制御する。その後、ステップＳ４０２に進む。
（ステップＳ４０２）携帯電話装置４は、測定点ＳＰまでの距離を検出する。その後、ステップＳ４０３に進む。
（ステップＳ４０３）携帯電話装置４は、測定点ＥＰまでの距離を検出する。その後、ステップＳ４０４に進む。
【００９８】
（ステップＳ４０４）携帯電話装置４は、ステップＳ４０２で検出した測定点ＳＰまでの距離と、ステップＳ４０３で検出した測定点ＥＰまでの距離と、が等しいか否かを判定する。
判定の結果、携帯電話装置４が測定点ＳＰまでの距離と測定点ＥＰまでの距離とが等しいと判定した場合（Ｙｅｓ）、ステップＳ４０５に進む。一方、判定の結果、携帯電話装置４が測定点ＳＰまでの距離と測定点ＥＰまでの距離とが等しくないと判定した場合（Ｎｏ）、ステップＳ４０６に進む。
【００９９】
（ステップＳ４０５）携帯電話装置４は、測定点ＳＰまでの距離と測定点ＥＰまでの距離とが等しいことを報知する。その後、ステップＳ４０６に進む。
（ステップＳ４０６）携帯電話装置４は、中点ＭＰまでの距離と、測定点ＳＰとＥＰを結ぶ直線の回転角と、に応じた目盛りの画像情報を生成する。その後、ステップＳ４０７に進む。
（ステップＳ４０７）携帯電話装置４は、目盛りの画像の照射方向を、中点ＭＰの方向になるように制御する。その後、ステップＳ４０８に進む。
【０１００】
（ステップＳ４０８）携帯電話装置４は、ステップＳ４０６にて生成した画像情報の目盛りの画像を、投影する。
（ステップＳ４０９）携帯電話装置４は、携帯電話装置４の操作者の操作により、投影を終了する命令が入力されたか否かを判定する。携帯電話装置４が投影を終了する命令が入力されたと判定した場合（Ｙｅｓ）、ステップＳ４１０に進む。一方、携帯電話装置４が投影を終了する命令が入力されないと判定した場合（Ｎｏ）、ステップＳ４０２に進む。
（ステップＳ４１０）携帯電話装置４は、目盛りの画像Ｍ３の投影を終了する。
【０１０１】
このように、本実施形態によれば、携帯電話装置４は、受け付けた２つの測定点ＳＰ、ＥＰの間に、目盛りの画像Ｍ３を投影するので、測定者が測定をしたい２つの測定点の長さを確実に測定することができる。
また、本実施形態によれば、携帯電話装置４は、受け付けた２つの測定点について、検出した距離が等しくなった場合に、その旨を報知するので、２つの測定点を結ぶ直線に対して垂直に前記目盛りの画像が投影されることを報知することができ、測定者は、照射方向の奥行きによる歪みがない目盛りの画像が投影されていることを知ることができる。
【０１０２】
なお、上記第３の実施形態において、携帯電話装置３は、自装置と測定対象物Ａ２との距離を距離検出部１０が電波を送受信することにより検出する例を説明したが、本発明はこれに限らず、撮像部３５のオートフォーカス機能によって、自装置と撮像する測定対象物Ａ２との距離を検出してもよい。
【０１０３】
また、上記各実施形態において、携帯電話装置１〜４は、画像投影部１２が液晶プロジェクタである場合の例について説明したが、本発明はこれに限らず、目盛りの画像を、レーザー光を用いたレーザープロジェクタにて投影してもよい。この場合、レーザー光が直進性の強い光であるので、携帯電話装置１〜４は、目盛りの画像のピントを合わせる制御をしなくとも、鮮明な目盛りの画像を投影することができる。特に、第４の実施形態において、測定点ＳＰと測定点ＥＰの距離が異なる立体的な測定対象物Ａ２であっても、測定対象物Ａ２に正確で鮮明な目盛りの画像を投影することができる。測定点ＳＰと測定点ＥＰの距離が異なる測定対象物Ａ２を測定する場合、距離が遠い測定点ほど目盛のピッチ狭くなるような画像を投影することが好ましい。
【０１０４】
また、上記各実施形態において、目盛りの画像は、直線的な長さを測定する目盛りの画像であった。しかし、本発明はこれに限らず、例えば、角度を測定する分度器の画像でもよいし、曲線に目盛りが振られた画像であってもよい。また、図１、図９、図１２において、目盛りの画像Ｍ１〜Ｍ３は、例えば、実寸大の間隔の点を並べた画像であってもよい。
【０１０５】
また、上記各実施形態において、携帯電話装置１〜４は、画像の大きさや目盛り刻み幅を決定した目盛りの画像を生成しているが、本発明はこれに限らず、例えば、予め目盛りの画像を生成し、プロジェクタ光学部の画角を変更することによって、画像の大きさや目盛り刻み幅を決定した目盛りの画像を投影するようにしてもよい。
また、上記各実施形態において、携帯電話装置１〜４は、検出した測定対象物までの距離、又は測定範囲の大きさに応じて、目盛り刻み幅を決定して目盛りの画像を照射していたが、本発明はこれに限らず、例えば、測定者の操作に基づき操作部２４から入力される情報に応じて、目盛り刻み幅を変更して目盛りの画像を照射してもよい。
また、上記各実施形態において、携帯電話装置１〜４は、操作部２４から入力される情報により、物差しの画像を拡大、縮小するようにしてもよい。
また、上記各実施形態において、携帯電話装置１〜４は、２以上の目盛りの画像について、目盛りの画像の生成処理、投影処理を行い、それぞれを、目盛りの画像の変更処理により、回転等させてもよい。この場合、例えば、携帯電話装置２は、２つの目盛りの画像が交差する角度を表示してもよい。
【０１０６】
また、上記各実施形態において、携帯電話装置１〜４は、目盛りの画像に、目盛りの単位を明示してもよい。例えば、携帯電話装置１〜４は、目盛りの画像に数字や単位を明示してもよいし、画像Ｍ１〜Ｍ３のように、物差しの画像を表示してもよい。
また、上記各実施形態において、携帯電話装置１〜４は、測定対象物と、投影した目盛りの画像と、を撮像する撮像部を備え、撮像して生成した画像情報を記憶してもよい。
【０１０７】
なお、上述した実施形態における携帯電話装置１〜４の一部、例えば、目盛刻み間隔決定部１１０、３１０、尺度決定部１１１、画像長決定部１１２、３１２、明るさ決定部２１３、画像生成部１１４、２１４、３１４、回転角入力部２１５、画像回転部２１６、測定範囲入力部３１７、４１７、及び色情報決定部３１８をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、携帯電話装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１０８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【図面の簡単な説明】
【０１０９】
【図１】この発明の第１の実施形態に係る携帯電話装置の機能概要を示す概略図である。
【図２】本実施形態に係る携帯電話装置の外観を示す概略的外観図である。
【図３】本実施形態に係る携帯電話装置の構成を示す概略的ブロック図である。
【図４】本実施形態に係る画像投影部の構成を示す概略的ブロック図である。
【図５】本実施形態に係る携帯電話装置の動作を示すフロー図である。
【図６】本発明の第２の実施形態に係る携帯電話装置の構成を示す概略的ブロック図である。
【図７】本実施形態に係る携帯電話装置の動作を示すフロー図である。
【図８】本実施形態に係る目盛りの画像の変更処理の動作を示すフロー図である。
【図９】この発明の第３の実施形態に係る携帯電話装置の機能概要を示す概略図である。
【図１０】本実施形態に係る携帯電話装置の構成を示す概略的ブロック図である。
【図１１】本実施形態に係る携帯電話装置の動作を示すフロー図である。
【図１２】この発明の第４の実施形態に係る携帯電話装置の機能概要を示す概略図である。
【図１３】本実施形態に係る携帯電話装置４の構成を示す概略的ブロック図である。
【図１４】本実施形態に係る携帯電話装置４の動作を示すフロー図である。
【符号の説明】
【０１１０】
１、２、３、４・・・携帯電話装置、１０・・・距離検出部、４０１・・・ポインタ照射部、４０２・・・測定点距離検出部、１１、２１、３１、４１・・・目盛画像生成部、１２、４２・・・画像投影部、２３・・・明るさ検出部、２４・・・操作部、３５・・・撮像部、３６・・・画像認識部、４７・・・報知部
１１０、３１０・・・目盛刻み間隔決定部、１１１・・・尺度決定部、１１２、３１２・・・画像長決定部、１１３、２１３・・・明るさ決定部、１１４、２１４、３１４・・・画像生成部、２１５・・・回転角入力部、２１６・・・画像回転部、３１７、４１７・・・測定範囲入力部、３１８・・・色情報決定部
１２１・・・光学系操作部、１２２・・・映像信号処理部、１２３・・・ランプ部、１２４・・・ＬＣＤパネル部、１２５・・・プロジェクタ光学部
【図１】
2010112875.tif 000003
【図２】
2010112875.tif 000004
【図３】
2010112875.tif 000005
【図４】
2010112875.tif 000006
【図５】
2010112875.tif 000007
【図６】
2010112875.tif 000008
【図７】
2010112875.tif 000009
【図８】
2010112875.tif 000010
【図９】
2010112875.tif 000011
【図１０】
2010112875.tif 000012
【図１１】
2010112875.tif 000013
【図１２】
2010112875.tif 000014
【図１３】
2010112875.tif 000015
【図１４】
2010112875.tif 000016
【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
画像を投影する投影装置において、
前記投影装置と前記画像を投影される測定対象物との距離を検出する距離検出部と、
前記距離検出部が検出した距離に基づいて、前記測定対象物に実寸大の目盛りの画像を投影する画像投影部と、
前記距離検出部が検出した距離に基づいて、前記画像投影部が投影する目盛りを刻む間隔を決定する目盛刻み間隔決定部と、
を備えることを特徴とする投影装置。
【請求項２】
画像を投影する投影装置において、
前記測定対象物を撮像して画像情報を生成する撮像部と、
前記撮像部が生成した画像情報における前記測定対象物の色情報と対照的な色情報を、目盛りの画像の色情報として決定する色情報決定部と、
前記投影装置と前記画像を投影される測定対象物との距離を検出する距離検出部と、
前記距離検出部が検出した距離に基づいて、前記測定対象物に実寸大の目盛りの画像であって前記色情報決定部が決定した色情報の目盛りの画像を投影する画像投影部と、
を備えることを特徴とする投影装置。
【請求項３】
画像を投影する投影装置において、
２つの測定点の指定を受け付ける測定範囲入力部と、
前記投影装置と前記画像を投影される測定対象物との距離を検出する距離検出部と、
前記距離検出部が検出した距離に基づいて、前記測定範囲入力部が受け付けた２つの測定点の間に、前記測定対象物に実寸大の目盛りの画像を投影する画像投影部と、
を備えることを特徴とする投影装置。
【請求項４】
前記測定範囲入力部が受け付けた２つの測定点の間の距離を検出する測定点間距離検出部を備え、
前記画像投影部は、前記測定点間距離検出部が検出した２つの測定点の間の距離を示す情報の画像を投影すること
を特徴とする請求項３に記載の投影装置。
【請求項５】
前記投影装置と前記測定範囲入力部が受け付けた測定点各々との距離を検出する測定点距離検出部と、
前記測定範囲入力部が受け付けた２つの測定点について、前記測定点距離検出部が検出した前記投影装置との距離が等しい場合に、その旨を報知する報知部と、
を備えることを特徴とする請求項３又は４に記載の投影装置。
【請求項６】
前記目盛りの画像は、曲線に目盛りが振られた画像であることを特徴とする請求項３に記載の投影装置。
【請求項７】
前記目盛りの画像は、角度を測定する分度器の画像であることを特徴とする請求項３に記載の投影装置。
【請求項８】
前記画像投影部は、２つの目盛り画像を投影し、前記２つの目盛りの画像が交差する角度を投影することを特徴とする請求項３に記載の投影装置。
【請求項９】
画像を投影する投影装置における投影装置制御方法おいて、
前記投影装置が、前記投影装置と前記画像を投影される測定対象物との距離を検出する第１の過程と、
前記投影装置が、前記第１の過程にて検出した距離に基づいて、前記測定対象物に実寸大の目盛りの画像を投影する第２の過程と、
前記投影装置が、前記第１の過程にて検出した距離に基づいて、前記画像投影部が投影する目盛りを刻む間隔を決定する第３の過程と、
を有することを特徴とする投影装置制御方法。
【請求項１０】
画像を投影する投影装置における投影装置制御方法おいて、
前記投影装置が、前記測定対象物を撮像して画像情報を生成する第１の過程と、
前記投影装置が、前記第１の過程にて生成した画像情報における前記測定対象物の色情報と対照的な色情報を、目盛りの画像の色情報として決定する第２の過程と、
前記投影装置が、前記投影装置と前記画像を投影される測定対象物との距離を検出する第３の過程と、
前記投影装置が、前記第３の過程にて検出した距離に基づいて、前記測定対象物に実寸大の目盛りの画像であって前記第２の過程にて決定した色情報の目盛りの画像を投影する第４の過程と、
を有することを特徴とする投影装置制御方法。
【請求項１１】
画像を投影する投影装置における投影装置制御方法おいて、
前記投影装置が、２つの測定点の指定を受け付ける第１の過程と、
前記投影装置が、前記投影装置と前記画像を投影される測定対象物との距離を検出する第２の過程と、
前記投影装置が、前記第２の過程にて検出した距離に基づいて、前記第１の過程にて受け付けた２つの測定点の間に、前記測定対象物に実寸大の目盛りの画像を投影する第３の過程と、
を有することを特徴とする投影装置制御方法。
【請求項１２】
画像を投影する投影装置のコンピュータを、
前記投影装置と前記画像を投影される測定対象物との距離を検出する距離検出手段、
前記距離検出手段にて検出した距離に基づいて、前記測定対象物に実寸大の目盛りの画像を投影する画像投影手段、
前記距離検出手段にて検出した距離に基づいて、前記画像投影手段にて投影する目盛りを刻む間隔を決定する目盛刻み間隔決定手段、
として機能させる投影装置制御プログラム。
【請求項１３】
画像を投影する投影装置のコンピュータを、
前記測定対象物を撮像して画像情報を生成する撮像手段、
前記撮像手段にて生成した画像情報における前記測定対象物の色情報と対照的な色情報を、目盛りの画像の色情報として決定する色情報決定手段、
前記投影装置と前記画像を投影される測定対象物との距離を検出する距離検出手段、
前記距離検出手段にて検出した距離に基づいて、前記測定対象物に実寸大の目盛りの画像であって前記色情報決定手段にて決定した色情報の目盛りの画像を投影する画像投影手段、
として機能させる投影装置制御プログラム。
【請求項１４】
画像を投影する投影装置のコンピュータを、
２つの測定点の指定を受け付ける測定範囲入力手段、
前記投影装置と前記画像を投影される測定対象物との距離を検出する距離検出手段、
前記距離検出手段にて検出した距離に基づいて、前記測定範囲入力手段にて受け付けた２つの測定点の間に、前記測定対象物に実寸大の目盛りの画像を投影する画像投影手段、
として機能させる投影装置制御プログラム。
【手続補正２】
【補正対象書類名】明細書
【補正対象項目名】０００６
【補正方法】変更
【補正の内容】
【０００６】
（１）本発明は上記の課題を解決するためになされたものであり、その一態様は、画像を投影する投影装置において、前記投影装置と前記画像を投影される測定対象物との距離を検出する距離検出部と、前記距離検出部が検出した距離に基づいて、前記測定対象物に実寸大の目盛りの画像を投影する画像投影部と、前記距離検出部が検出した距離に基づいて、前記画像投影部が投影する目盛りを刻む間隔を決定する目盛刻み間隔決定部と、を備えることを特徴とする投影装置である。
上記構成によると、前記投影装置は、自装置と前記測定対象物との距離を検出し、前記測定対象物に実寸大の目盛りの画像を投影するので、測定者が前記測定対象物の大きさを迅速かつ確実に測定することができる。また、上記構成によると、前記投影装置は、検出した自装置と前記測定対象物との距離に基づいて、投影する目盛りを刻む間隔を決定するので、例えば、小さな測定対象物の大きさを測定する場合、前記投影装置を利用する測定者が前記投影装置と前記測定対象物との距離を小さくすることにより、前記測定対象物を小さな単位（例えば、１ｍｍ：１ミリメートル）の目盛りを投影することができ、測定者は、迅速に前記測定対象物の測定をすることができる。
【手続補正３】
【補正対象書類名】明細書
【補正対象項目名】０００７
【補正方法】変更
【補正の内容】
【０００７】
（２）また、本発明の一態様は、画像を投影する投影装置において、前記測定対象物を撮像して画像情報を生成する撮像部と、前記撮像部が生成した画像情報における前記測定対象物の色情報と対照的な色情報を、目盛りの画像の色情報として決定する色情報決定部と、前記投影装置と前記画像を投影される測定対象物との距離を検出する距離検出部と、前記距離検出部が検出した距離に基づいて、前記測定対象物に実寸大の目盛りの画像であって前記色情報決定部が決定した色情報の目盛りの画像を投影する画像投影部と、を備えることを特徴とする投影装置である。
上記構成によると、前記投影装置は、撮像して生成した画像情報における測定対象物の色情報に基づいて、投影する目盛りの色情報を決定するので、例えば、目盛りの色情報を前記測定対象物の色情報と対照的な色情報とすることにより、鮮明な目盛りの画像を前記測定対象物に投影することができ、測定者は、確実に前記測定対象物の測定をすることができる。
【手続補正４】
【補正対象書類名】明細書
【補正対象項目名】０００８
【補正方法】変更
【補正の内容】
【０００８】
（３）また、本発明の一態様は、画像を投影する投影装置において、２つの測定点の指定を受け付ける測定範囲入力部と、前記投影装置と前記画像を投影される測定対象物との距離を検出する距離検出部と、前記距離検出部が検出した距離に基づいて、前記測定範囲入力部が受け付けた２つの測定点の間に、前記測定対象物に実寸大の目盛りの画像を投影する画像投影部と、を備えることを特徴とする投影装置である。
上記構成によると、前記投影装置は、受け付けた２つの測定点の間に、前記目盛りの画像を投影するので、測定者が測定をしたい２つの測定点の長さを確実に測定することができる。
【手続補正５】
【補正対象書類名】明細書
【補正対象項目名】０００９
【補正方法】変更
【補正の内容】
【０００９】
（４）また、本発明の一態様は、前記測定範囲入力部が受け付けた２つの測定点の間の距離を検出する測定点間距離検出部を備え、前記画像投影部は、前記測定点間距離検出部が検出した２つの測定点の間の距離を示す情報の画像を投影することを特徴とする投影装置である。
上記構成によると、前記投影装置は、検出した２つの測定点の間の距離を示す情報の画像を投影するので、測定者は、２つの測定点の間の距離を、迅速かつ確実に知ることができる。
【手続補正６】
【補正対象書類名】明細書
【補正対象項目名】００１０
【補正方法】変更
【補正の内容】
【００１０】
（５）また、本発明の一態様は、前記投影装置と前記測定範囲入力部が受け付けた測定点各々との距離を検出する測定点距離検出部と、前記測定範囲入力部が受け付けた２つの測定点について、前記測定点距離検出部が検出した前記投影装置との距離が等しい場合に、その旨を報知する報知部と、を備えることを特徴とする投影装置である。
上記構成によると、前記投影装置は、受け付けた２つの測定点について、検出した距離が等しくなった場合に、その旨を報知するので、２つの測定点を結ぶ直線に対して垂直に前記目盛りの画像が投影されることを報知することができ、測定者は、前記照射方向の奥行きによる歪みがない前記目盛りの画像が投影されていることを知ることができる。
【手続補正７】
【補正対象書類名】明細書
【補正対象項目名】００１１
【補正方法】変更
【補正の内容】
【００１１】
（６）また、本発明の一態様は、前記目盛りの画像は、曲線に目盛りが振られた画像であることを特徴とする投影装置である。
【手続補正８】
【補正対象書類名】明細書
【補正対象項目名】００１２
【補正方法】変更
【補正の内容】
【００１２】
（７）また、本発明の一態様は、前記目盛りの画像は、角度を測定する分度器の画像であることを特徴とする投影装置である。
【手続補正９】
【補正対象書類名】明細書
【補正対象項目名】００１３
【補正方法】変更
【補正の内容】
【００１３】
（８）また、本発明の一態様は、前記画像投影部は、２つの目盛り画像を投影し、前記２つの目盛りの画像が交差する角度を投影することを特徴とする投影装置である。
【手続補正１０】
【補正対象書類名】明細書
【補正対象項目名】００１４
【補正方法】変更
【補正の内容】
【００１４】
（９）また、本発明の一態様は、画像を投影する投影装置における投影装置制御方法おいて、前記投影装置が、前記投影装置と前記画像を投影される測定対象物との距離を検出する第１の過程と、前記投影装置が、前記第１の過程にて検出した距離に基づいて、前記測定対象物に実寸大の目盛りの画像を投影する第２の過程と、前記投影装置が、前記第１の過程にて検出した距離に基づいて、前記画像投影部が投影する目盛りを刻む間隔を決定する第３の過程と、を有することを特徴とする投影装置制御方法である。
【手続補正１１】
【補正対象書類名】明細書
【補正対象項目名】００１５
【補正方法】変更
【補正の内容】
【００１５】
（１０）また、本発明の一態様は、画像を投影する投影装置における投影装置制御方法おいて、前記投影装置が、前記測定対象物を撮像して画像情報を生成する第１の過程と、前記投影装置が、前記第１の過程にて生成した画像情報における前記測定対象物の色情報と対照的な色情報を、目盛りの画像の色情報として決定する第２の過程と、前記投影装置が、前記投影装置と前記画像を投影される測定対象物との距離を検出する第３の過程と、前記投影装置が、前記第３の過程にて検出した距離に基づいて、前記測定対象物に実寸大の目盛りの画像であって前記第２の過程にて決定した色情報の目盛りの画像を投影する第４の過程と、を有することを特徴とする投影装置制御方法である。
【手続補正１２】
【補正対象書類名】明細書
【補正対象項目名】００１６
【補正方法】変更
【補正の内容】
【００１６】
（１１）また、本発明の一態様は、画像を投影する投影装置における投影装置制御方法おいて、前記投影装置が、２つの測定点の指定を受け付ける第１の過程と、前記投影装置が、前記投影装置と前記画像を投影される測定対象物との距離を検出する第２の過程と、前記投影装置が、前記第２の過程にて検出した距離に基づいて、前記第１の過程にて受け付けた２つの測定点の間に、前記測定対象物に実寸大の目盛りの画像を投影する第３の過程と、を有することを特徴とする投影装置制御方法である。
【手続補正１３】
【補正対象書類名】明細書
【補正対象項目名】００１７
【補正方法】変更
【補正の内容】
【００１７】
（１２）また、本発明の一態様は、画像を投影する投影装置のコンピュータを、前記投影装置と前記画像を投影される測定対象物との距離を検出する距離検出手段、前記距離検出手段にて検出した距離に基づいて、前記測定対象物に実寸大の目盛りの画像を投影する画像投影手段、前記距離検出手段にて検出した距離に基づいて、前記画像投影手段にて投影する目盛りを刻む間隔を決定する目盛刻み間隔決定手段、として機能させる投影装置制御プログラムである。
【手続補正１４】
【補正対象書類名】明細書
【補正対象項目名】００１８
【補正方法】変更
【補正の内容】
【００１８】
（１３）また、本発明の一態様は、画像を投影する投影装置のコンピュータを、前記測定対象物を撮像して画像情報を生成する撮像手段、前記撮像手段にて生成した画像情報における前記測定対象物の色情報と対照的な色情報を、目盛りの画像の色情報として決定する色情報決定手段、前記投影装置と前記画像を投影される測定対象物との距離を検出する距離検出手段、前記距離検出手段にて検出した距離に基づいて、前記測定対象物に実寸大の目盛りの画像であって前記色情報決定手段にて決定した色情報の目盛りの画像を投影する画像投影手段、として機能させる投影装置制御プログラムである。
【手続補正１５】
【補正対象書類名】明細書
【補正対象項目名】００１９
【補正方法】変更
【補正の内容】
【００１９】
（１４）また、本発明の一態様は、画像を投影する投影装置のコンピュータを、２つの測定点の指定を受け付ける測定範囲入力手段、前記投影装置と前記画像を投影される測定対象物との距離を検出する距離検出手段、前記距離検出手段にて検出した距離に基づいて、前記測定範囲入力手段にて受け付けた２つの測定点の間に、前記測定対象物に実寸大の目盛りの画像を投影する画像投影手段、として機能させる投影装置制御プログラムである。
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
画像を投影する投影装置において、
前記投影装置と前記画像を投影される測定対象物との距離を検出する距離検出部と、
前記距離検出部が検出した距離に基づいて、目盛りを刻む間隔を決定する目盛刻み間隔決定部と、
前記距離検出部が検出した距離に基づいて決定された間隔で目盛りを刻むように目盛りの一部を削除した目盛りの画像であって実寸大の目盛りの画像を、前記測定対象物に投影する画像投影部と、
を備えることを特徴とする投影装置。
【請求項２】
画像を投影する投影装置において、
２つの測定点の指定を受け付ける測定範囲入力部と、
前記投影装置と前記画像を投影される測定対象物との距離を検出する距離検出部と、
前記距離検出部が検出した距離に基づいて決定された間隔で目盛りを刻むように目盛りの一部を削除した目盛りの画像であって実寸大の目盛りの画像を、前記測定範囲入力部が受け付けた２つの測定点の間に、投影する画像投影部と、
を備えることを特徴とする投影装置。
【請求項３】
前記測定範囲入力部が受け付けた２つの測定点の間の距離を検出する測定点間距離検出部を備え、
前記画像投影部は、前記測定点間距離検出部が検出した２つの測定点の間の距離を示す情報の画像を投影すること
を特徴とする請求項２に記載の投影装置。
【請求項４】
前記投影装置と前記測定範囲入力部が受け付けた測定点各々との距離を検出する測定点距離検出部と、
前記測定範囲入力部が受け付けた２つの測定点について、前記測定点距離検出部が検出した前記投影装置との距離が等しい場合に、その旨を報知する報知部と、
を備えることを特徴とする請求項２又は３に記載の投影装置。
【手続補正２】
【補正対象書類名】明細書
【補正対象項目名】０００６
【補正方法】変更
【補正の内容】
【０００６】
（１）本発明は上記の課題を解決するためになされたものであり、その一態様は、画像を投影する投影装置において、前記投影装置と前記画像を投影される測定対象物との距離を検出する距離検出部と、前記距離検出部が検出した距離に基づいて、目盛りを刻む間隔を決定する目盛刻み間隔決定部と、前記距離検出部が検出した距離に基づいて決定された間隔で目盛りを刻むように目盛りの一部を削除した目盛りの画像であって実寸大の目盛りの画像を、前記測定対象物に投影する画像投影部と、を備えることを特徴とする投影装置である。
上記構成によると、前記投影装置は、自装置と前記測定対象物との距離を検出し、前記測定対象物に実寸大の目盛りの画像を投影するので、測定者が前記測定対象物の大きさを迅速かつ確実に測定することができる。また、上記構成によると、前記投影装置は、検出した自装置と前記測定対象物との距離に基づいて、投影する目盛りを刻む間隔を決定するので、例えば、小さな測定対象物の大きさを測定する場合、前記投影装置を利用する測定者が前記投影装置と前記測定対象物との距離を小さくすることにより、前記測定対象物を小さな単位（例えば、１ｍｍ：１ミリメートル）の目盛りを投影することができ、測定者は、迅速に前記測定対象物の測定をすることができる。
【手続補正３】
【補正対象書類名】明細書
【補正対象項目名】０００８
【補正方法】変更
【補正の内容】
【０００８】
（３）また、本発明の一態様は、画像を投影する投影装置において、画像を投影する投影装置において、２つの測定点の指定を受け付ける測定範囲入力部と、前記投影装置と前記画像を投影される測定対象物との距離を検出する距離検出部と、前記距離検出部が検出した距離に基づいて決定された間隔で目盛りを刻むように目盛りの一部を削除した目盛りの画像であって実寸大の目盛りの画像を、前記測定範囲入力部が受け付けた２つの測定点の間に、投影する画像投影部と、を備えることを特徴とする投影装置である。
上記構成によると、前記投影装置は、受け付けた２つの測定点の間に、前記目盛りの画像を投影するので、測定者が測定をしたい２つの測定点の長さを確実に測定することができる。